(57)【要約】【課題】在庫管理の簡略化および低コストを実現可能な包装部材を提供する。【解決手段】この包装部材１００は、底部１と、この底部１の幅方向両端から各々立ち上がる一対の第１側壁部２，３とを備えている。各第１側壁部２，３の上部には、照明器具１０１の幅方向端部を保持する保持部が設けられている。そして、一対の第１側壁部２，３は、第１の幅寸法を有する照明器具１０１Ａの包装時には、保持部同士の間隔が拡がるように幅方向外側に傾斜した外傾姿勢でその照明器具１０１Ａを保持する。その一方で、一対の第１側壁部２，３は、第１の幅寸法よりも小さい第２の幅寸法を有する照明器具１０１Ｂの包装時には、保持部同士の間隔が狭まるように幅方向内側に傾斜した内傾姿勢でその照明器具１０１Ｂを保持する。【選択図】図６
2009196690.tif 000002
【特許請求の範囲】
【請求項１】
商品を包装する包装部材であって、
底部と、この底部の幅方向両端から各々立ち上がる一対の第１側壁部とを備え、
各第１側壁部の上部には、商品の幅方向端部を保持する保持部が設けられ、
前記一対の第１側壁部の少なくとも一方は、第１の幅寸法を有する商品の包装時には、保持部同士の間隔が拡がるように幅方向外側に傾斜した外傾姿勢でその商品を保持する一方、前記第１の幅寸法よりも小さい第２の幅寸法を有する商品の包装時には、保持部同士の間隔が狭まるように幅方向内側に傾斜した内傾姿勢でその商品を保持することを特徴とする包装部材。
【請求項２】
前記外傾姿勢または前記内傾姿勢にある第１側壁部の底部の直交面に対する最大傾斜角度が１０°〜１２°であることを特徴とする請求項１に記載の包装部材。
【請求項３】
底部の幅方向と直交する奥行方向の両端から各々立ち上がる一対の第２側壁部を備え、
前記第１側壁部は、底部の幅方向端部から立ち上がる主壁部と、この主壁部の奥行方向両端から幅方向内側に向けて延びる一対の曲げ代部とを有し、
前記第１の幅寸法を有する商品の包装時には、前記第１側壁部の曲げ代部が前記第２側壁部の幅方向端縁と奥行方向に重なることを特徴とする請求項１または２に記載の包装部材。
【請求項４】
前記商品は、蛍光灯用の照明器具であることを特徴とする請求項１〜３のいずれか一項に記載の包装部材。
【発明の詳細な説明】
【技術分野】
【０００１】
本発明は、商品を包装する包装部材に関する。
【背景技術】
【０００２】
従来、蛍光灯用の照明器具等の商品を包装する包装部材が知られている（特許文献１）。
【０００３】
このような包装部材では、長手方向（幅方向）両側の一対の側壁部で照明器具の両端をそれぞれ保持するとともに、それらの両側壁部によって当該包装部材の高さ方向の包装強度を確保する構成となっているものがある。
【０００４】
ところで、照明器具は、取り付ける蛍光灯のワット数に応じて、その幅寸法が少しずつ異なっている。具体的には、家庭用の市販品だけでも約１３０ｍｍ〜約２３６０ｍｍの範囲内に約５ｍｍ〜約１００ｍｍの寸法差で約２０種類の照明器具が存在する。
【０００５】
そして、従来では、上記包装部材は、各寸法の照明器具に個別に対応した規格のものを使用していた。
【０００６】
例えば、ＦＨＦ１６Ｗの蛍光灯（長さ５８８．５ｍｍ）用の照明器具は、その幅寸法が６４０．５ｍｍであり、この照明器具を包装する包装部材として、幅寸法（両側壁部の外面同士の間隔に相当する）が６９０．５ｍｍのものを使用していた。
【０００７】
一方、ＦＬ２０Ｗの蛍光灯（長さ５８０ｍｍ）用の照明器具は、その幅寸法が６３２ｍｍであり、この照明器具を包装する包装部材として、幅寸法が６８２ｍｍのものを使用していた。
【特許文献１】特開２００３−３４１７７０号公報
【発明の開示】
【発明が解決しようとする課題】
【０００８】
しかし、上記のように、幅寸法の異なる照明器具ごとに包装部材を用意していたのでは、包装部材の在庫管理が煩雑になったり、包装部材製造用の抜型が個々に必要となるのでコスト高になったりするという問題があった。
【０００９】
本発明は、上記のような課題を解決するためになされたものであり、在庫管理の簡略化および低コストを実現可能な包装部材を提供することを目的とする。
【課題を解決するための手段】
【００１０】
請求項１の発明は、商品を包装する包装部材であって、底部と、この底部の幅方向両端から各々立ち上がる一対の第１側壁部とを備え、各第１側壁部の上部には、商品の幅方向端部を保持する保持部が設けられ、前記一対の第１側壁部の少なくとも一方は、第１の幅寸法を有する商品の包装時には、保持部同士の間隔が拡がるように幅方向外側に傾斜した外傾姿勢でその商品を保持する一方、前記第１の幅寸法よりも小さい第２の幅寸法を有する商品の包装時には、保持部同士の間隔が狭まるように幅方向内側に傾斜した内傾姿勢でその商品を保持することを特徴とするものである。
【００１１】
請求項２の発明は、請求項１に記載の包装部材において、前記外傾姿勢または前記内傾姿勢にある第１側壁部の底部の直交面に対する最大傾斜角度が１０°〜１２°であることを特徴とするものである。
【００１２】
請求項３の発明は、請求項１または２に記載の包装部材において、底部の幅方向と直交する奥行方向の両端から各々立ち上がる一対の第２側壁部を備え、前記第１側壁部は、底部の幅方向端部から立ち上がる主壁部と、この主壁部の奥行方向両端から幅方向内側に向けて延びる一対の曲げ代部とを有し、前記第１の幅寸法を有する商品の包装時には、前記第１側壁部の曲げ代部が前記第２側壁部の幅方向端縁と奥行方向に重なることを特徴とするものである。
【００１３】
請求項４の発明は、請求項１〜３のいずれか一項に記載の包装部材において、前記商品は、蛍光灯用の照明器具であることを特徴とするものである。
【発明の効果】
【００１４】
請求項１の発明によれば、包装する商品の幅寸法に応じて、第１側壁部の底部に対する姿勢を変えて保持部同士の間隔を調整し、当該商品を保持するように構成した。この構成にすることによって、幅寸法の異なる商品のそれぞれを、同一規格（同サイズ）の包装部材を用いて適正に包装することができる。これにより、幅寸法の異なる商品に別規格の包装部材をそれぞれ使用していた従来に比べて、包装部材の種類を減らすことができるので、包装部材の在庫管理を簡略化することができる。また、包装部材の種類を減らすことによって、包装部材製造用の抜型にかかるコストを削減することができる。
【００１５】
なお、本発明の包装部材は、第１側壁部が底部に対して略垂直姿勢となって商品を保持することも勿論可能である。そして、一対の第１側壁部がともに底部に対して略垂直姿勢となって、第１の幅寸法よりも小さくかつ第２の幅寸法よりも大きい第３の幅寸法の商品を保持することもできる。
【００１６】
請求項２の発明によれば、第１側壁部の最大傾斜角度を１０°〜１２°で規制することによって、当該包装部材の高さ方向の包装強度を十分に確保しつつ商品を適正に包装することができる。
【００１７】
請求項３の発明によれば、第１の幅寸法の商品の包装時に、第１側壁部の曲げ代部が第２側壁部の幅方向端縁とオーバーラップするように構成した。この構成では、曲げ代部によって外傾姿勢の第１側壁部と第２側壁部との境界部分に隙間が形成されないので、両側壁部の境界部分から埃等の異物が進入するのを防ぐことができる。また、この構成によれば、隙間の存在による外観視の悪化を防ぐことができる。
【００１８】
請求項４の発明によれば、多くの異なる幅寸法規格が存在する蛍光灯用の照明器具を包装する包装部材において、その在庫管理を大幅に簡略化することができるとともに、包装部材製造用の抜型にかかるコストを十分に削減することができる。
【発明を実施するための最良の形態】
【００１９】
以下、本発明の実施形態を図面に基づいて説明する。
【００２０】
図１は、本発明の一実施形態による包装部材であり、（ａ）は照明器具を保持した保持状態の斜視図、（ｂ）は照明器具の包装が完了した包装状態の斜視図である。また、図２は、包装部材に包装される照明器具を示した分解斜視図であり、図３は、包装部材の展開状態の斜視図である。また、図４および図５は、包装部材の組立て手順を説明するための斜視図であり、図６は、包装部材による照明器具の包装手順を説明するための斜視図である。なお、図１、図５および図６では、本実施形態の包装部材１００がとり得る一態様として、左右両壁部が底部に対して略垂直姿勢となって照明器具を保持する状態を示している。
【００２１】
まず、包装部材１００およびこの包装部材１００に包装される照明器具１０１の構成について説明する。
【００２２】
本実施形態の包装部材１００は、図１に示すように、蛍光灯用の照明器具（商品）１０１を包装するためのものである。
【００２３】
照明器具１０１は、図２に示すように、図略の蛍光灯を取り付ける器具本体１０２と、この器具本体１０２を下面側で保持した状態で天井等に取り付けられる傘部材１０３とから構成されている。
【００２４】
また、器具本体１０２は、点灯回路等の部材を取り付けるための水平板部１０４と、この水平板部１０４の四隅から立ち上がる４つの垂直片部１０５と、各垂直片部１０５に保持される４つのソケット１０６とを有している。そして、照明器具１０１は、傘部材１０３が器具本体１０２の下方となる姿勢で包装部材１００に包装される。
【００２５】
包装部材１００は、例えば一枚のダンボール材から構成され、略直方体形状に組み立てられてその内部に上記照明器具１０１を包装するようになっている。なお、包装部材は、複数のダンボール部材から構成されていてもよい。また、包装部材の材質は、ダンボール材以外の例えば樹脂材であってもよい。
【００２６】
包装部材１００は、図１に示すように、底部１と、左右両壁部（第１側壁部）２，３と、前後両壁部（第２側壁部）４，５と、一組の天井部６とで構成されている。なお、本実施形態では、包装部材１００の長手方向（幅方向）を左右方向とし、短手方向（奥行方向）を前後方向とする。
【００２７】
底部１は、平面視で略長方形状を有しており、照明器具１０１の包装が完了した包装状態では、当該包装部材１００の下面を構成する。また、左右両壁部２，３は、底部１の左右方向両端に各々連続し、包装状態では底部１に対して立直する姿勢となって当該包装部材１００の左右の側面を構成する。また、前後両壁部４，５は、底部１の前後方向両端に各々連続し、包装状態では底部１に対して立直する姿勢となって当該包装部材１００の前後の側面を構成する。また、一組の天井部６は、前後両壁部４，５に各々連続し、包装状態では底部１と対面して当該包装部材１００の上面を構成する。
【００２８】
そして、包装部材１００は、左右両壁部２，３で照明器具１０１の左右両端を各々保持した状態で当該照明器具１０１を包装するようになっている。また、包装部材１００は、左右両壁部２，３によって当該包装部材１００の高さ方向の包装強度が確保される構成となっている。
【００２９】
以下、図１および図３を参照しながら、上記左壁部２の構成について詳細に説明する。なお、右壁部３は、左壁部２と左右対称の構成であるのでその詳細な説明を省略する。
【００３０】
左壁部２は、立上げ部１１と、折曲げ部２１とを含んでいる。
【００３１】
立上げ部１１は、図３の展開図に示すように、底部１の幅方向外側の端部（以下、左端部）に連続する主壁部１２と、この主壁部１２の前後両端にそれぞれ曲げ代部１３を介して連続する一対の副壁部１４とで構成されている。
【００３２】
そして、図１（ａ）に示す照明器具１０１を保持した保持状態では、主壁部１２が、底部１の左端部から立ち上がるように配される。また、上記保持状態では、一対の曲げ代部１３が、主壁部１２の前後両端から右側に延びるように配される。また、上記保持状態では、一対の副壁部１４が、各曲げ代部１３の先端から主壁部１２に左右方向に重なるように配される。
【００３３】
このような構成の立上げ部１１は、底部１の左端部から立ち上がるように配されるとともに、その厚み方向（左右方向）に３層構造となっている。これによって、当該包装部材１００の高さ方向の十分な包装強度が確保されている。
【００３４】
また、立上げ部１１は、その下端を中心に揺動するのを許容可能な構成となっており、底部１に対する姿勢（傾き角度）を変更可能である。
【００３５】
折曲げ部２１は、図３の展開図に示すように、立上げ部１１の主壁部１２の左端部に連続する主壁部２２と、この主壁部２２の前後両端にそれぞれ曲げ代部２３を介して連続する一対の副壁部２４とで構成されている。
【００３６】
そして、図１（ａ）に示す保持状態では、主壁部２２が、立上げ部１１の上端から幅方向内側（右側）に延びるように配される。また、上記保持状態では、一対の曲げ代部２３が、主壁部２２の前後両端から下側に延びるように配される。また、上記保持状態では、一対の副壁部２４が、各曲げ代部２３の先端から主壁部２２に高さ方向で重なるように配される。
【００３７】
このような構成の折曲げ部２１は、立上げ部１１の上端から右側に折れ曲がるように配されるとともに、その厚み方向（高さ方向）に３層構造となっている。これによって、当該包装部材１００の照明器具１０１に対する十分な保持強度が確保されている。
【００３８】
また、主壁部２２には、４つの切欠き溝２５が前後方向に互いに所定間隔を隔てて並ぶように設けられている。また、一対の副壁部２４には、それぞれ、３つの切欠き溝２５が前後方向に互いに所定間隔を隔てて並ぶように設けられている。
【００３９】
そして、図１（ａ）に示す保持状態では、主壁部２２の４つの切欠き溝２５と各副壁部２４の３つの切欠き溝２５との前後位置が高さ方向で適宜合致するように、主壁部２２と一対の副壁部２４とが重なり合う。これによって、折曲げ部２１の先端に４つの切欠き溝２５が形成されるようになっている。
【００４０】
また、折曲げ部２１のうち中央寄りの２つの切欠き溝２５に挟まれる部位は、第１移動規制部２６（図４参照）となっている。この第１移動規制部２６は、照明器具１０１の器具本体１０２の水平板部１０４の下方に幅方向外側（左方）から嵌り込み、図１（ａ）に示す保持状態では、照明器具１０１の器具本体１０２の水平板部１０４の下面に当接するように配される。
【００４１】
また、折曲げ部２１のうち中央寄りの切欠き溝２５とそれに隣り合う端側の切欠き溝２５とに挟まれる前後一対の部位は、第２移動規制部２７となっている。この一対の第２移動規制部２７は、保持状態では、器具本体１０２のソケット１０６の直上方に配される。
【００４２】
このように、本実施形態では、折曲げ部２１の移動規制部２６，２７によって照明器具１０１の端部を上下動不能に挟み込むように保持し、照明器具１０１の移動を規制する構成となっている。つまり、折曲げ部２１の切欠き溝２５と各移動規制部２６，２７とで、本発明の「保持部」を構成している。
【００４３】
また、折曲げ部２１は、立上げ部１１側の端部を中心に揺動するのを許容可能な構成となっている。従って、底部１に対する立上げ部１１の傾き角度が変わっても、折曲げ部２１の照明器具１０１に対する適正な姿勢を維持することができ、照明器具１０１の保持動作に支障が生じないようになっている。
【００４４】
次に、図１（ａ）、図３〜図６を参照して、包装部材１００の組立て手順および包装部材１００による照明器具１０１の包装手順について説明する。なお、図４および図５では、左壁部２の組立て手順について示している。
【００４５】
まず、図３に示す展開状態から、左壁部２の立上げ部１１の後側の副壁部１４および折曲げ部２１の後側の副壁部２４を前方に起こして、それぞれ、対応する主壁部１２，２２に重ね合わせる。その後、前側の副壁部１４，２４を後方に起こして、それぞれ、上記重ね合わせた後側の副壁部１４，２４にさらに重ね合わせる（以上、図４参照）。
【００４６】
次に、立上げ部１１および折曲げ部２１を右方に起こして底部１に対して略垂直姿勢となるように立ち上げる（図５参照）。以上の動作は、右壁部３においてもなされ、これによって照明器具１０１を保持する準備が整う。
【００４７】
そして、図６に示すように、照明器具１０１を上方からセットする一方で、左右両壁部２，３の折曲げ部２１を左右方向内側にそれぞれ折り曲げつつ、各折曲げ部２１先端の移動規制部２６，２７を器具本体１０２の左右両端に外側から嵌め込む。これによって、照明器具１０１が左右両壁部２，３によって保持（仮保持）される。
【００４８】
そして、図１（ａ）に示すように、前後両壁部４，５を底部１に対して略垂直姿勢となるように立ち上げ、さらに前後両壁部４，５に連続する一組の天井部６により照明器具１０１の上面を覆う。この後、ガムテープ等で天井部６同士を貼り合わせて、照明器具１０１を完全に包装する。
【００４９】
この包装状態では、折曲げ部２１の上面に天井部６の下面が密接しており、これによって左右両壁部２，３の折曲げ部２１の幅方向外側への移動が規制される。このため、折曲げ部２１による照明器具１０１端部の保持状態が解除されにくくなり、照明器具１０１をがたつくことなく保持することができるようになる。
【００５０】
ところで、従来から、照明器具は、取り付ける蛍光灯のワット数に応じて、異なる幅寸法を有していた。例えば、ＦＨＦ１６Ｗの蛍光灯（長さ５８８．５ｍｍ）用の照明器具は、その幅寸法が６４０．５ｍｍであり、また、ＦＬ２０Ｗの蛍光灯（長さ５８０ｍｍ）用の照明器具は、その幅寸法が６３２ｍｍである。
【００５１】
そして、従来では、上記のような僅かな寸法差（７．５ｍｍ）の照明器具を包装する場合でも、別規格の包装部材をそれぞれ使用していた。あるいは、包装する照明器具との規格寸法差を埋めるべく、包装部材内部に嵩上げ部材等を配していた。
【００５２】
ここで、本実施形態の包装部材１００では、上述のように、左右両壁部２，３の立上げ部１１が底部１に対する姿勢（傾き角度）を変えることのできる構成となっている。これにより、包装する照明器具１０１の幅寸法に応じて、左右両壁部２，３の立上げ部１１の傾き角度を異ならせ、折曲げ部２１同士の間隔、すなわち保持部同士の間隔を適宜調整する。
【００５３】
すなわち、比較的長い幅寸法（第１の幅寸法）の照明器具の包装時には、各立上げ部１１が幅方向外側に傾斜した外傾姿勢となって折曲げ部２１同士の間隔を拡げるようにする。また、比較的短い幅寸法（第２の幅寸法）の照明器具の包装時には、各立上げ部１１が幅方向内側に傾斜した内傾姿勢となって折曲げ部２１同士の間隔を狭めるようにする。
【００５４】
なお、本実施形態の包装部材１００は、当該包装部材１００の規格に従来から対応していた照明器具を保持する場合には、左右両壁部２，３が底部１に対して略垂直姿勢となって照明器具１０１を保持する。
【００５５】
また、折曲げ部２１が立上げ部１１に対して揺動可能に構成されているので、立上げ部１１のいずれの姿勢に対しても折曲げ部２１が照明器具１０１の端部を確実に保持することが可能である。従って、本実施形態の包装部材１００は、上述のような幅寸法の僅かに（１０ｍｍ程度）異なる照明器具のそれぞれに対応し、いずれの照明器具も適正に包装可能である。
【００５６】
具体例を挙げると、前述のＦＨＦ１６Ｗ型の蛍光灯用の照明器具１０１Ａ（第１の幅寸法の照明器具に相当）を収容する際には、図７（ａ）に示すように、左右両壁部２，３の立上げ部１１がともに外側に傾斜した外傾姿勢となる。そして、左右両壁部２，３の各折曲げ部２１の移動規制部２６，２７（図６参照）によって照明器具１０１Ａががたつくことなく保持され、適正に包装されるようになっている。
【００５７】
一方、ＦＬ２０Ｗ型の蛍光灯用の照明器具１０１Ｂ（第２の幅寸法の照明器具に相当）を収容する際には、図７（ｂ）に示すように、左右両壁部２，３の立上げ部１１がともに内側に傾斜した内傾姿勢となる。そして、左右両壁部２，３の各折曲げ部２１の移動規制部２６，２７（図６参照）によって照明器具１０１Ｂががたつくことなく保持され、適正に包装されるようになっている。
【００５８】
なお、図７中のＷ１は包装部材の底部１の幅寸法を示しており、ここでは６８６ｍｍである。また、Ｗ２１，Ｗ２２は包装部材の左右両壁部２，３の立上げ部１１の外面上端部同士の間隔を示しており、ここではＷ２１が６９０．５ｍｍ、Ｗ２２が６８２ｍｍである。また、Ｗ３１，Ｗ３２は照明器具の幅寸法をそれぞれ示しており、ここではＷ３１が６４０．５ｍｍ、Ｗ３２が６３２ｍｍである。なお、包装部材の底部１の幅寸法Ｗ１は、Ｗ２１およびＷ２２の略中央値に設定されている。
【００５９】
また、本実施形態の包装部材１００では、上記左右両壁部２，３の底部１の直交面に対する傾き角度の最大値（最大傾斜角度）は、外傾姿勢では約１２°（図８（ａ））、内傾姿勢では約１０°（図８（ｂ））に設定されている。このような傾き角度Ｇの範囲内であれば、包装部材１００に加わる高さ方向の外力に対する包装部材１００の十分な包装強度Ｆを確保することができる。なお、上記最大傾斜角度は、ダンボール材自体の強度や、包装部材の構成材料等によって変わる。
【００６０】
また、図７（ａ）に示すように、上記のように左右両壁部２，３が外傾姿勢となった状態では、当該両壁部２，３の４つの曲げ代部１３が前後両壁部４，５の幅方向端縁４１，４２，５１，５２と前後方向に重なる、すなわち正面視でオーバーラップする。これによって、外傾姿勢の左右両壁部２，３と前後両壁部４，５との境界部分に隙間が形成されるのを防ぐことができるので、それらの境界部分から埃等の異物が進入するのを防ぐことができる。また、この構成によれば、隙間の存在による外観視の悪化を防ぐことができる。
【００６１】
本実施形態では、上記のように、包装する照明器具１０１の幅寸法に応じて、左右両壁部２，３の底部１に対する姿勢を変えて保持部同士の間隔を調整し、当該照明器具１０１を保持するように構成した。この構成にすることによって、幅寸法の異なる照明器具１０１のそれぞれを、同一規格（同サイズ）の包装部材１００を用いて適正に包装することができる。これにより、幅寸法の異なる照明器具に別規格の包装部材をそれぞれ使用していた従来に比べて、包装部材の種類を減らすことができるので、包装部材の在庫管理を簡略化することができる。また、包装部材の種類を減らすことによって、包装部材製造用の抜型にかかるコストを削減することができる。
【００６２】
また、本実施形態では、左右両壁部２，３の底部１に対する姿勢を変えることで、当該包装部材１００を幅寸法の異なる照明器具１０１のそれぞれに対応させるようにした。これにより、複数規格の商品のそれぞれに対応させるために構造を従来から大幅に変更させたり、包装する商品との規格寸法差を埋めるべく、包装部材内部に別途嵩上げ部材等を配設したりする必要がなく、経済的である。
【００６３】
また、本実施形態では、上記のように、左右両壁部２，３の最大傾斜角度を１０°〜１２°で規制することによって、当該包装部材１００の高さ方向の包装強度を十分に確保しつつ商品を適正に包装することができる。
【００６４】
また、本実施形態では、上記のように、大きい幅寸法の照明器具１０１の包装時に、左右両壁部２，３の曲げ代部１３が前後両壁部４，５の左右両端縁とオーバーラップするように構成した。この構成では、曲げ代部１３によって外傾姿勢の左右両壁部２，３と前後両壁部４，５との境界部分に隙間が形成されないので、両側壁部の境界部分から埃等の異物が進入するのを防ぐことができる。また、この構成によれば、隙間の存在による外観視の悪化を防ぐことができる。
【００６５】
また、本実施形態では、上記のように、多くの異なる幅寸法規格が存在する蛍光灯用の照明器具１０１を包装する包装部材１００において、その在庫管理を大幅に簡略化することができるとともに、包装部材製造用の抜型にかかるコストを十分に削減することができる。
【００６６】
なお、上記実施形態では、照明器具を包装するための包装部材について説明したが、これに限らず、照明器具以外の商品を包装するための包装部材にも本発明を適用可能である。
【００６７】
また、上記実施形態では、同一規格の包装部材１００により適正に包装可能な異なる幅寸法の照明器具の例として、ＦＬ２０Ｗ型の蛍光灯用の照明器具とＦＨＦ１６Ｗ型の蛍光灯用の照明器具とのパターンを挙げたが、以下のようなパターンの照明器具の包装にも適用可能である。すなわち、ＦＨＦ２３Ｗ型の蛍光灯用の照明器具とＦＨＦ２５Ｗ型の蛍光灯用の照明器具とのパターンや、ＦＨＦ３２Ｗ型の蛍光灯用の照明器具とＦＨＦ２７Ｗ型の蛍光灯用の照明器具とのパターンにも適用できる。
【００６８】
また、上記実施形態では、同一規格の包装部材１００によって２つの異なる幅寸法の照明器具をそれぞれ包装する例を挙げたが、包装される照明器具（商品）の幅寸法によっては、３つ以上の異なる幅寸法のものをそれぞれ包装可能な場合もある。
【００６９】
また、上記実施形態で照明器具１０１を保持する折曲げ部２１の保持部の形状は、包装する商品の形状等により適宜変更可能である。
【００７０】
また、上記実施形態では、左右両壁部２，３がともに外傾姿勢または内傾姿勢となる例を示したが、一方の壁部が底部１に対して垂直姿勢となり、他方の壁部が当該傾斜姿勢となって照明器具１０１を包装することも可能である。
【図面の簡単な説明】
【００７１】
【図１】本発明の一実施形態による包装部材であり、（ａ）は照明器具を保持した保持状態の斜視図、（ｂ）は照明器具の包装が完了した包装状態の斜視図である。
【図２】包装部材に包装される照明器具を示した分解斜視図である。
【図３】包装部材の展開状態の斜視図である。
【図４】包装部材の組立て手順を説明するための斜視図である。
【図５】包装部材の組立て手順を説明するための斜視図である。
【図６】包装部材による照明器具の包装手順を説明するための斜視図である。
【図７】包装完了状態の包装部材であり、（ａ）は大きい幅寸法の照明器具を包装した状態の概略正面断面図、（ｂ）は小さい幅寸法の照明器具を包装した状態の概略正面断面図である。
【図８】左壁部（右壁部）の傾斜角度と包装部材の包装強度との関係を示しており、（ａ）は壁部が外傾姿勢の場合のグラフ、（ｂ）は壁部が内傾姿勢の場合のグラフである。
【符号の説明】
【００７２】
１  底部
２  左壁部（第１側壁部）
３  右壁部（第１側壁部）
４  前壁部（第２側壁部）
５  後壁部（第２側壁部）
１２  主壁部
１３  曲げ代部
２５  切欠き溝（保持部）
２６  第１移動規制部（保持部）
２７  第２移動規制部（保持部）
１００  包装部材
１０１、１０１Ａ、１０１Ｂ  照明器具（商品）
【図１】
2009196690.tif 000003
【図２】
2009196690.tif 000004
【図３】
2009196690.tif 000005
【図４】
2009196690.tif 000006
【図５】
2009196690.tif 000007
【図６】
2009196690.tif 000008
【図７】
2009196690.tif 000009
【図８】
2009196690.tif 000010